(57)【要約】【課題】  誘引吹出口から給気した直後に吸込口吸い込まれることなく、該誘引吹出口からの空気は天井に沿って拡散して室内を空調して循環し、その後、照明器具を冷却しながら前記吸込口から吸い込み、空調効率が向上させる照明器具を有する空調システムを提供する。【解決手段】  照明器具の枠体の天井側に吸込口が設けられ、照明器具の両側の近傍に空調された空気を吹き出す誘引型空気吹出機構を設け、該誘引型空気吹出機構の誘引吹出口からの空気は天井に沿って拡散して室内を空調して循環し、前記照明器具を冷却しながら前記吸込口から吸い込み還気として天井チャンバーに吸込まれるようにし、誘引型空気吹出機構は、照明器具の領域を除く、他の３方向の領域に吹き出す誘引吹出口を設けた照明器具を有する空調システムである。【選択図】図１
2019132570.tif 000002
【特許請求の範囲】
【請求項１】
照明器具の枠体の天井側に吸込口を設けられ、照明器具の両側の近傍に空調された空気を吹き出す誘引型空気吹出機構を設け、該誘引型空気吹出機構からの空気は天井に沿って拡散して室内を空調して循環し、前記照明器具を冷却しながら前記吸込口から吸い込み還気或いは排気として天井チャンバーに吸込まれるようにしたことを特徴とする照明器具を有する空調システム。
【請求項２】
前記誘引型空気吹出機構は、照明器具の領域を除く、他の３方向の領域に吹き出す吹出口を設けたことを特徴とする請求項１に記載の照明器具を有する空調システム。
【請求項３】
前記照明器具はＬＥＤ照明器具であることを特徴とする請求項１又は請求項２に記載の照明器具を有する空調システム。
【発明の詳細な説明】
【技術分野】
【０００１】
本発明は、照明器具を有する空調システムに関する。
【背景技術】
【０００２】
従来より、天井に取り付て部屋を照明する照明器具は白熱電灯や天井露出型蛍光灯や天井埋込式の蛍光灯や、最近では天井用ＬＥＤ照明装置が使用されている。
白熱電灯は古くから現在に至るまで取付の簡便性や雰囲気から多用されているが、寿命や高温の発熱や電流消費に対する明るさの点に問題があった。このため、大半の家庭や事務室等の照明は蛍光灯照明器具が使用され、更に、近年より発熱量が小さく発光効率の良い非白色のＬＥＤが開発され多用されているが、天井用のＬＥＤ照明器具でも発熱が生じ、この際のＬＥＤ照明器の温度は通常３０℃前後が一番効率が良いように設計されている。
ところで、天井にＴバーを格子状に組み込み、天井材や設備機器を組み込む従来のシステム天井においては、図６に示すように、１つの格子(以後「グリッド」と称す。)内に対しておよそ１／３〜１／６中央部分に当たるシステム天井用設備プレートに配置された４方向吹き出しとなる誘引型吹出口を設け、この誘引型吹出口は天井に沿ってコアンダ効果により空調された空気を吹き出すもので、誘引型吹出口ａがグリッドの両端に設置するシステム天井用照明器具に空調の排気口となる吸い込みスリットを設置した吸込口兼用照明器具ｂを備え、１つのグリッド内で室内への給気と室内からの排気及び照明を集約して行うシステムがある。
また、特許文献１に開示されているように、 システム天井において、中央部分に設けられた天井用照明装置の両側に空調された空気を給気する空気吹出機構が配置されものが知られているが、給気は床に向かって直下方向に空気吹出口を設けた空調システムが知られている。
【先行技術文献】
【特許文献】
【０００３】
【特許文献１】特開平８−１８４１２３号公報
【発明の開示】
【発明が解決しようとする課題】
【０００４】
しかし、上述した従来の吹出口と吸引口兼用照明器具の配置による４方向への給気では、給気した直後に吸込スリットに面した給気が吸い込まれるため、室内空調負荷除去に必要な給気量が不足し、空調効率が低下するという問題があった。
また、特許文献１に開示されている空調システムは、天井用照明装置の両側に空気吹出装置が配置されいるが、これは誘引型空気吹出機構ではなく、給気は床に向かって直下方向に空気を吹出すもので、やはり空調効率が低下するという問題があった。
本発明は、照明器具の両側に空気吹出装置を配置した照明器具を有する空調システムにおいては、通常は給気した直後に吸込まれてしまう量は給気量全体の１５％程度にもなり、空気搬送効率が低下するとともに、熱負荷を除去する媒体である冷水又は温水の熱交換効率を低下するだけでなく、冷水や温水を製造する熱源の運転効率も低下することに鑑みてなされたもので、空調効率を向上させる照明器具を有する空調システムを提供することにある。
【課題を解決するための手段】
【０００５】
上記課題を解決するために、照明器具及び吹出口を設けるシステム天井におけるグリッド内の両端に吹出機構として誘引型空気吹出機構を配置し、その吹出口は隣接する照明器具側へは吹き出しを行わない３方向吹き出しとなる吹き出し機構とし、グリッド内中央には照明器具を配置し、室内の排気をするための吸込口を該照明器具の上部に備えたＬＥＤ照明器具等の照明器具を有し、該照明器具を冷却すこと兼用する空調システムである。
すなわち、請求項１の発明は、照明器具の枠体の天井側に吸込口を設けられ、照明器具の両側の近傍に空調された空気を吹き出す誘引型空気吹出機構を設け、該誘引型空気吹出機構からの空気は天井に沿って拡散して室内を空調して循環し、前記照明器具を冷却しながら前記吸込口から吸い込み還気或いは排気として天井チャンバーに吸込まれるようにしたことを特徴とする照明器具を有する空調システムである。
請求項２の発明は、請求項１に記載の照明器具を有する空調システムにおいて、前記誘引型空気吹出機構は、照明器具の領域を除く、他の３方向の領域に吹き出す吹出口を設けたことを特徴とする。
請求項３の発明は、請求項１又は２に記載の照明器具を有する空調システムにおいて、前記照明器具はＬＥＤ照明器具であることを特徴とする。
【発明の効果】
【０００６】
本発明の照明器具を有する空調システムによれば、吹出口から給気した直後に吸込口に吸い込まれる空気を削減し、誘引型空気吹出機構の吹出口からの空気は天井に沿って拡散して室内を空調して循環し、その後、循環した空気で照明器具を冷却しながら前記吸込口から吸い込み還気或いは排気として天井チャンバーに吸い込まれるため、空調効率が向上するという効果が得られる。
【図面の簡単な説明】
【０００７】
【図１】本発明の照明器具を有する空調システムの単体の天井の全体を示す図、
【図２】図１のＡ−Ａ線での断面図、
【図３】図１のＢ−Ｂ線での断面図、
【図４】図１の照明器具を有する空調システムを複数配置した室内での空調空気の吹き出し範囲を示した図、
【図５】図４のＣ−Ｃ線での断面図で空気の循環の状態を示す図、
【図６】従来のシステム天井のグリッド内の吹出口と照明器具を組み合わせたシステムの天井での断面図である。
【発明を実施するための形態】
【０００８】
本発明の照明器具を有する空調システムの好適な実施例を図面を参照して説明する。
【実施例１】
【０００９】
図１は、本発明の照明器具を有する空調システムの単体の天井の全体を示す図であるが、照明器具３及び誘引型空気吹出機構２の誘引吹出口２１を設けるシステム天井１を示すもので、天井に配置されたＴバー１２により形成された矩形の格子であるグリッド１２１において、両端に誘引吹出口２１を配置し、この誘引型空気吹出機構２の誘引吹出口２１は隣接する照明器具３側へは吹き出しを行わない３方向吹き出しとなる誘引吹出口２1とし、グリッド１２１の真ん中には照明器具３を配置し、室内の排気をするための複数の吸込口３３を照明器具３の上部に備え、照明器具３は省エネ効果のあるＬＥＤ照明器３２とした照明器具を有する空調システムである。
照明器具３は、長方形の枠体３１内に二本の管状（棒状)の照明器で、蛍光管での良いが、本実施例では消費電力が少ない管状のＬＥＤ照明器３２が設けられ、さらに、枠体３１の枠体天井３１１側にＬＥＤ照明器３２に沿って複数の吸引口３３が設けられ(本実施例では３本)ている。
この吸引口３３は、天井１３１裏の空間である天井チャンバー１３に連通し、ＲＥ／ＥＡダクト１４から還気(ＲＥ)或いは排気(ＥＡ)として排出される。
【００１０】
照明器具３のＬＥＤ照明器３２の長手方向の両側には１対の吹出機構２が配置され、この１対の誘引型空気吹出機構２は線対称の２個の機構であるが、誘引吹出口２１は天井に沿って空気が移動するコアンダ効果を発揮する誘引吹出口２１１である。
すなわち、誘引吹出口２１１は、給気がコアンダ効果を発揮するような形状で、給気された空気がなるべく天井に沿って移動するように、斜行フラップ２２は水平方向からにわずかに傾いた１０度から４０度範囲の角度に設定することが望ましい。
この誘引吹出口２１１は、給気ダクト２３に連通され、図２、図３の断面図に示すような構造で、図２は図１のＡ−Ａ線での断面図で、通常の誘引吹出口２１１と変わらず、左右には従来どうりの方向に冷房等で空調された空気を吹き出し、すなわち、図１では斜行フラップ２２は図２で左右側に吹き出すように水平に近い下方に向かって斜行し（１０度から４０度の範囲）、左右のＸ方向に吹き出す構造である。
また、図３は図１のＢ−Ｂ線での断面図で、空気が照明器具２側に向かわないように遮断フラップ２４１と遮蔽板２４を設け、反対側だけＹ方向にわずかに下方に向かって斜行する斜行フラップ２２を設け、照明器具２側には遮断フラップ２４１と遮蔽板２４とを設けている。すなわち、照明器具２側には空気をほぼ吹き出さず、照明器具２側を挟んで反対方向のみに空気を吹き出す構造で、図１ではＹ方向に吹き出す構造である。
【００１１】
ここで、本実施例では、全体としては、照明器具３の長手方向の長さに合わせて誘引型空気吹出機構２の長手方向の長さにし、図１のＹ−Ｘ−Ｙの３方向には吹き出すが、誘引型空気吹出機構２は照明器具２の領域を除く、他の３方向の領域に吹き出す誘引吹出口を設け照明器具２側に向けては空気を吹き出さない構造である。なお、上記実施例での照明器具３の長手方向の長さは、誘引型空気吹出機構２の長手方向と同じにしているが、必要に応じて誘引型空気吹出機構２の方を長くしても、逆に、照明器具３の方を長くしてもよい。
【００１２】
次に、上述した照明器具を有する空調システムの単体を居室内に複数配置した場合の大まかな空気の流れを説明する。
図４は、居室内に照明器具を有する空調システムの複数のうち、４台についての空気の流れを示したもので、照明器具３を中心にこの両側に配置した誘引吹出口２１１からの吹き出され空気はコアンダ効果により、天井に沿って拡散して吹出した空気は直接照明器具３側には向かわないようにしている。
図５は、図４のＣ−Ｃ線での断面図で空気の循環の状態を示す図であるが、誘引吹出口２１から吹き出した空気a1は、天井に沿って拡散してから下降a2し、床１５に沿って移動し、照明器具３の真下当たりから上昇するように循環し、照明器具３の吸引口３３から吸引し、天井チャンバー１３からＲＥ／ＥＡダクト１４から還気(ＲＥ)或いは排気(ＥＡ)として排出される。
【００１３】
以上のような照明器具を有する空調システムの構成であるので、誘引吹出口から給気した直後に吸込口吸い込まれることなく、該誘引吹出口からの空気は天井に沿って拡散して室内を空調して循環し、その後、照明器具を冷却しながら前記吸込口から吸い込み還気として天井チャンバーに吸い込まれ、使用後の多少温まった空気で照明器具を冷却するので、未使用の冷却空気を使用するものではなく、従来のシステムよりも空調効率が向上するという効果が得られる。
【００１４】
なお、本発明の特徴を損うものでなければ、上記の実施例に限定されるものでないことは勿論であり、例えば、本実施例は照明器具を有する空調システムをグリッド等を有する天井システムに適用したが、天井システム以外の天井の従来工法に適用してもよく、また、本実施例では誘引型空気吹出機構２と照明器具３とを近接して一体型としたが、誘引型空気吹出機構２と照明器具３とを別体として互いに多少離したて別体型としてもよいことは勿論である。
【符号の説明】
【００１５】
１・・システム天井、１２・・Ｔバー、１２１・・グリッド、
１３・・天井チャンバー、１３１・・天井
１４・・ＲＥ／ＥＡダクト、１５・・床
２・・誘引型空気吹出機構、２１・・吹出口、２１１・・誘引吹出口、
２２・・斜行フラップ、２３・・給気ダクト、２４・・遮蔽板、
２４１・・遮蔽フラップ、
３・・照明器具、３１・・枠体、３１１・・枠体天井、
３２・・ＬＥＤ照明器、３３・・吸引口
【図１】
2019132570.tif 000003
【図２】
2019132570.tif 000004
【図３】
2019132570.tif 000005
【図４】
2019132570.tif 000006
【図５】
2019132570.tif 000007
【図６】
2019132570.tif 000008